(57)【要約】【課題】事象の発生予報の通知から事象が発生するまでの間に、事象が発生した場合の影響を評価することにより、通信路の切替動作を適切におこなうこと。【解決手段】監視制御装置３２１は、受付部５０１により予想情報を受け付け、設定部５０２により予想情報に含まれる予想発生領域内の転送装置について事象の予想影響度を設定し、第１の取得部５０３により、予想発生領域内の転送装置を中継地点とする通信路に関する予想影響度を事象の予想影響度に基づいて取得し、特定部５０４により通信路に関する予想影響度に基づいて切替先通信路候補群を特定し、第２の取得部５０５により切替先通信路候補に関する予想影響度を事象の予想影響度に基づいて取得し、決定部５０７により、通信路に関する予想影響度と切替先通信路候補に関する予想影響度とに基づいて切替先通信路を決定し、制御部５０８により通信路から切替先通信路への切替を制御する。【選択図】  図５
2014107624.tif 000002
【特許請求の範囲】
【請求項１】
事象の予想影響度および予想発生領域を含む予想情報を受け付ける受付部と、
データ転送をおこなう転送装置群の中の、前記受付部によって受け付けられた予想情報に含まれる前記予想発生領域内の転送装置について、前記事象の予想影響度を記憶装置に設定する設定部と、
前記転送装置群における前記予想発生領域内の転送装置を中継地点とする通信路に関する予想影響度を、前記設定部によって設定された前記事象の予想影響度に基づいて取得する第１の取得部と、
前記第１の取得部によって取得された前記通信路に関する予想影響度に基づいて、前記転送装置群の中から、両端の転送装置が前記通信路と共通する通信路である切替先通信路候補群を特定する特定部と、
前記特定部によって特定された切替先通信路候補群の各々の切替先通信路候補に関する予想影響度を、前記事象の予想影響度に基づいて取得する第２の取得部と、
前記通信路に関する予想影響度と前記第２の取得部によって取得された前記各々の切替先通信路候補に関する予想影響度とに基づいて、前記切替先通信路候補群の中から、切替先通信路を決定する決定部と、
前記通信路から前記決定部によって決定された切替先通信路への切替を制御する制御部と、
を有することを特徴とする監視制御装置。
【請求項２】
前記第１の取得部は、
前記通信路における前記予想発生領域内の転送装置に対する前記事象の予想影響度のうち、指定された値以上となる前記事象の予想影響度を、前記通信路に関する予想影響度として取得することを特徴とする請求項１に記載の監視制御装置。
【請求項３】
前記特定部は、
前記通信路に関する予想影響度に基づいて、前記転送装置群の中から、両端の転送装置が前記通信路と共通し、かつ、前記事象の予想影響度が前記通信路に関する予想影響度よりも低い転送装置を経由する切替先通信路候補群を特定することを特徴とする請求項１または２に記載の監視制御装置。
【請求項４】
前記決定部は、
前記切替先通信路群の中から、前記切替先通信路候補に関する予想影響度が前記通信路に関する予想影響度よりも低い切替先通信路候補を、前記切替先通信路に決定することを特徴とする請求項１または２に記載の監視制御装置。
【請求項５】
前記切替先通信路候補を構成する転送装置群についての前記事象に対する耐性を示す値が前記記憶装置に記憶されている場合、前記事象に対する耐性を示す値に基づいて、前記切替先通信路候補に関する前記事象に対する耐性を示す値を取得する第３の取得部を有し、
前記決定部は、
前記切替先通信路候補群のうち、前記第３の取得部によって取得された前記切替先通信路候補に関する前記事象に対する耐性を示す値が、前記通信路に関する予想影響度に応じた値となる切替先通信路候補を、前記切替先通信路に決定することを特徴とする請求項１または２に記載の監視制御装置。
【請求項６】
事象の予想影響度および予想発生領域を含む予想情報を受け付ける受付手順と、
データ転送をおこなう転送装置群の中の、前記受付手順によって受け付けられた予想情報に含まれる前記予想発生領域内の転送装置に対し、前記事象の予想影響度を記憶装置に設定する設定手順と、
前記転送装置群における前記予想発生領域内の転送装置を中継地点とする通信路に関する予想影響度を、前記事象の予想影響度に基づいて取得する第１の取得手順と、
前記第１の取得手順によって取得された前記通信路に関する予想影響度に基づいて、前記転送装置群の中から、両端の転送装置が前記通信路と共通する通信路である切替先通信路候補群を特定する特定手順と、
前記特定手順によって特定された切替先通信路候補群の各々の切替先通信路候補に関する予想影響度を、前記事象の予想影響度に基づいて取得する第２の取得手順と、
前記通信路に関する予想影響度と前記第２の取得手順によって取得された前記各々の切替先通信路候補に関する予想影響度とに基づいて、前記切替先通信路候補群の中から、切替先通信路を決定する決定手順と、
前記通信路から前記決定手順によって決定された切替先通信路への切替を制御する制御手順と、
をコンピュータが実行することを特徴とする監視制御方法。
【請求項７】
事象の予想影響度および予想発生領域を含む予想情報を受け付ける受付手順と、
データ転送をおこなう転送装置群の中の、前記受付手順によって受け付けられた予想情報に含まれる前記予想発生領域内の転送装置に対し、前記事象の予想影響度を記憶装置に設定する設定手順と、
前記転送装置群における前記予想発生領域内の転送装置を中継地点とする通信路に関する予想影響度を、前記事象の予想影響度に基づいて取得する第１の取得手順と、
前記第１の取得手順によって取得された前記通信路に関する予想影響度に基づいて、前記転送装置群の中から、両端の転送装置が前記通信路と共通する通信路である切替先通信路候補群を特定する特定手順と、
前記特定手順によって特定された切替先通信路候補群の各々の切替先通信路候補に関する予想影響度を、前記事象の予想影響度に基づいて取得する第２の取得手順と、
前記通信路に関する予想影響度と前記第２の取得手順によって取得された前記各々の切替先通信路候補に関する予想影響度とに基づいて、前記切替先通信路候補群の中から、切替先通信路を決定する決定手順と、
前記通信路から前記決定手順によって決定された切替先通信路への切替を制御する制御手順と、
をコンピュータに実行させるための監視制御プログラム。
【発明の詳細な説明】
【技術分野】
【０００１】
本発明は、監視制御装置、監視制御方法、および監視制御プログラムに関する。
【背景技術】
【０００２】
本技術分野の背景技術として、特開２０１０−２４５７０２号公報（特許文献１）、特開２００８−１６６９４２号公報（特許文献２）および特開２００９−０６５４１１号公報（特許文献３）がある。
【０００３】
特許文献１において、第１の通信装置では、挙動情報が格納部に予め関連付けられて格納される。挙動情報とは、災害の状況を特定する災害シナリオ、および災害が発生した際に、第２の通信装置がデータ伝送において行うべき挙動を示す情報である。また、緊急速報受信部が、災害を予告する旨の緊急速報を外部の通報手段より受信し、抽出部が、当該緊急速報に基づいて災害シナリオを特定し且つ当該特定した災害シナリオに関連付けられた挙動情報を格納部より抽出する。そして、送信部が、当該抽出した挙動情報を第２の通信装置に送信する。第２の通信装置では、挙動情報受信部が、当該挙動情報を第１の通信装置より受信し、データ伝送制御部が、当該挙動情報に基づいて第２の通信装置のデータ伝送を制御する。このように、特許文献１の技術は、緊急速報を利用することで、災害の影響を抑止する。
【０００４】
また、特許文献２において、ノード装置は、固定パスと動的パスとをそれぞれ区別して登録または消去する。固定パスとは、パスの状態変化があった場合でも管理テーブルに残存するパスである。また、動的パスとは、一時的にパス生成時のみ管理テーブルに登録され、パスの状態変化に応じて管理テーブルから削除されるパスである。ノード装置は、固定パスおよび動的パスの登録状況を把握し、ネットワーク上の故障に関する情報および登録状況に基づき所定の切替状態遷移アルゴリズムに従って固定パスまたは動的パスの生成または削除をおこなう。
【０００５】
また、ノード装置は、当該生成または削除に応じた管理テーブルへの登録または消去をおこなう。これにより、特許文献２のノード装置は、現用パスと予備パスの同時故障に対し、単一故障に対する信頼性を担保したまま管理対象パス数を低減し、ノード装置における管理負荷を軽減する。
【０００６】
また、特許文献３において、通信装置は、システム内の各リンクについて、優先度ごとの空き帯域を示す情報を含むリンク情報を収拾して保持し、設定パスの帯域及び優先度と、リンク情報に基づき設定パスの経路を決定する。つぎに、通信装置は、決定した経路上のリンクのうち、設定パスの設定により削除又は帯域の変更が必要なパスを収容している変更対象リンクとそのパスの優先度である個別リンク優先度を特定する。そして、通信装置は、パス情報を、変更対象リンクと接続している通信装置又は通信システムのパス情報を管理する装置から取得する。
【０００７】
パス情報とは、変更対象リンクに収容されているその変更対象リンクの個別リンク優先度以下のパスについての、パス識別情報、帯域、優先度及びパスの始点となる通信装置を特定する情報を含む情報である。すなわち、特許文献３の通信装置は、新たなパス設定に伴って、より優先度の低いパスを変更又は削除する必要がある場合に、その候補となるパスについての情報を収集する。
【先行技術文献】
【特許文献】
【０００８】
【特許文献１】特開２０１０−２４５７０２号公報
【特許文献２】特開２００８−１６６９４２号公報
【特許文献３】特開２００９−０６５４１１号公報
【発明の概要】
【発明が解決しようとする課題】
【０００９】
緊急速報は、予報速報であり注意喚起を促すための通知であるため、頻繁に通知される割に予測された事象の実際の発生確率が非常に低く、全く被災しない場合がある。しかしながら、実際に事象が発生した場合は広範囲に障害が発生することになる。
【００１０】
特許文献１を通信路の切替制御に適用した場合、特許文献１の技術は、事象発生確率が非常に低い速報を基に通信断時間を評価することなく通信路の切替えを実施する。したがって、なんら被災しないにも関わらずユーザ許容通信断時間等のＳＬＡ（Ｓｅｒｖｉｃｅ  Ｌｅｖｅｌ  Ａｇｒｅｅｍｅｎｔ）を逸脱してしまう可能性がある。
【００１１】
特許文献２を冗長パス設定に適用した場合、予め決めておいた第３の通信路でさえ被災地域に該当したときは、特許文献２のノード装置は通信路を逃がすことができず、通信断が発生してしまうという問題がある。
【００１２】
特許文献３の通信装置は、通信路設定において予め設定されたリソース配分における優先度を元に設定削除を制御するが、切替時のＳＬＡについては考慮されていないため、系切替時のＳＬＡを逸脱してしまう可能性がある。
【００１３】
本発明は、事象の発生予報の通知から事象が発生するまでの間に、事象が発生した場合の影響を評価することにより、通信路の切替動作を適切におこなうことを目的とする。
【課題を解決するための手段】
【００１４】
本願において開示される発明の一側面となる監視制御装置、監視制御方法、および監視制御プログラムは、事象の予想影響度および予想発生領域を含む予想情報を受け付け、データ転送をおこなう転送装置群の中の、前記予想情報に含まれる前記予想発生領域内の転送装置について、前記事象の予想影響度を記憶装置に設定し、前記転送装置群における前記予想発生領域内の転送装置を中継地点とする通信路に関する予想影響度を、前記事象の予想影響度に基づいて取得し、取得された前記通信路に関する予想影響度に基づいて、前記転送装置群の中から、両端の転送装置が前記通信路と共通する通信路である切替先通信路候補群を特定し、特定された切替先通信路候補群の各々の切替先通信路候補に関する予想影響度を、前記事象の予想影響度に基づいて取得し、前記通信路に関する予想影響度と前記各々の切替先通信路候補に関する予想影響度とに基づいて、前記切替先通信路候補群の中から、切替先通信路を決定し、前記通信路から前記切替先通信路への切替を制御する。
【発明の効果】
【００１５】
本発明の一側面によれば、通信路の切替動作を適切におこなうことができる。前述した以外の課題、構成及び効果は、以下の実施例の説明により明らかにされる。
【図面の簡単な説明】
【００１６】
【図１】本実施例にかかる通信路切替例（その１）を示す説明図である。
【図２】本実施例にかかる通信路切替例（その２）を示す説明図である。
【図３】本実施例にかかるネットワークシステムのシステム構成例を示す説明図である。
【図４】コンピュータのハードウェア構成例を示すブロック図である。
【図５】監視制御装置の機能的構成例を示すブロック図である。
【図６】緊急速報メッセージのデータ構造例を示す説明図である。
【図７】転送装置テーブルの記憶内容の一例を示す説明図である。
【図８】通信路構成情報テーブルの記憶内容の一例を示す説明図である。
【図９】接続情報テーブルの記憶内容の一例を示す説明図である。
【図１０】切替先通信路候補構成情報テーブルの記憶内容の一例を示す説明図である。
【図１１】優先度別切替規定テーブルの記憶内容の一例を示す説明図である。
【図１２】切替要求メッセージのデータ構造例を示す説明図である。
【図１３】切替動作完了後の通信路構成情報テーブルの記憶内容の一例を示す説明図である。
【図１４】監視制御装置が実行する監視制御処理手順例を示すフローチャートである。
【図１５】図１４に示した通信路に関する予想影響度判定処理の詳細な処理手順例を示すフローチャートである。
【図１６】図１４に示した切替／切り戻し規定抽出処理の詳細な処理手順例を示すフローチャートである。
【図１７】図１４に示した切替先決定処理の詳細な処理手順例を示すフローチャートである。
【図１８】ネットワークシステムにおける通信路の切替制御シーケンス例を示すシーケンス図である。
【図１９】通信路の切り戻し処理手順例を示すフローチャートである。
【発明を実施するための形態】
【００１７】
＜通信路切替例＞
図１は、本実施例にかかる通信路切替例（その１）を示す説明図であり、図２は、本実施例にかかる通信路切替例（その２）を示す説明図である。図１は、通信路の切替前の状態を示し、図２は、通信路の切替後の状態を示す。
【００１８】
図１および図２において、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク内には転送装置群が存在する。ここでは一例として、複数の転送装置１０１〜１０８が配置されている。転送装置間の接続は、図１および図２において、転送装置間を結ぶ線により表現される。また、転送装置１０１〜１０８は、それぞれ固有のＩＤとして、「００１」〜「００８」が設定されている。なお、転送装置１０１〜１０８の配下には、たとえば、図示しないクライアント端末が接続されてもよい。
【００１９】
また、図１において、通信路Ｐ１は、転送装置１０１、１０２を端点とし、転送装置１０３を経由するパスである。また、通信路Ｐ２は、転送装置１０１、１０２を端点とし、転送装置１０４を経由するパスである。ここでは、例として、通信路Ｐ１が現用系のパスであり、通信路Ｐ２が予備系のパスである。
【００２０】
また、事象の予想発生領域Ｒは、事象が発生すると予想された領域である。ここで、事象とは、ネットワーク内において通信路の切替をしなければならない脅威の要因が挙げられる。脅威の要因としては、たとえば、停電、気象、災害、社会現象がある。停電としては、たとえば、計画停電、障害停電、電力不足停電が挙げられる。また、気象としては、たとえば、暴風、洪水、高温が挙げられる。また、災害としては、たとえば、地震、津波等が挙げられる。また、社会現象としては、たとえば、ストライキ、暴動、戦争等が挙げられる。
【００２１】
本実施例では、このような脅威の発生予測が事前に通報される。たとえば、災害を例に挙げると、災害の発生前に災害情報を通知する緊急速報がある。緊急速報は、予報速報であり注意喚起を促すための通知である。したがって、頻繁に通知される割に予測された事象の実際の発生確率が非常に低く、全く被災しない場合があるが、実際に事象が発生した場合は広範囲に障害が発生する。緊急速報の例として、緊急地震速報がある。緊急地震速報は、各地での主要動の到達時刻や震度の予測結果を地震動の予報または警報として、ネットワークを介して通知される速報である。
【００２２】
緊急速報を受け付けると、本実施例の監視制御装置は、通信路の経由地点となる転送装置が予想発生領域Ｒに含まれている通信路を退避させる。図１の例では、転送装置１０３、１０４が予想発生領域Ｒに包含される。したがって、通信路Ｐ１、Ｐ２は、切替対象のパスとなる。
【００２３】
また、通信路Ｐ１、Ｐ２を切り替える場合、監視制御装置は、切替元の通信路Ｐ１、Ｐ２に対する事象の予想影響度と、切替先の通信路に対する事象の予想影響度とを比較することにより、切替の妥当性を評価する。また、予想影響度だけではなく、監視制御装置は、通信路の切替時のＳＬＡも評価する。この評価結果により切替が妥当である場合は、監視制御装置は、切替先の通信路に切り替えることになる。
【００２４】
図２に、切替後の通信路Ｐ３、Ｐ４が示される。図１の通信路Ｐ１が通信路Ｐ３に切り替えられ、図１の通信路Ｐ２が通信路Ｐ４に切り替えられる。通信路Ｐ３は、転送装置１０１、１０２を端点とし、データ通信装置１０５を経由するパスである。また、通信路Ｐ４は、転送装置１０１、１０２を端点とし、データ通信装置１０５を経由するパスである。なお、図１および図２の例では、通信路Ｐ１、Ｐ２を切り替える例について説明したが、転送装置１０３、１０４のうち、転送装置１０３のみが予想発生領域Ｒ内に存在する場合は、監視制御装置は、予備系である通信路Ｐ２を現用系に切り替えるとともに、通信路Ｐ１から通信路Ｐ３に切り替える。また、転送装置１０３、１０４のうち、転送装置１０４のみが予想発生領域Ｒ内に存在する場合は、監視制御装置は、予備系である通信路Ｐ２を通信路Ｐ４に切り替えることになる。
【００２５】
このように、本実施例では、通信路において不確定または確定した障害の発生が予想される場合にも、事象の予想影響度や切替動作についてのＳＬＡを評価した上で切替操作を適切に実現することができる。
【００２６】
＜システム構成例＞
図３は、本実施例にかかるネットワークシステムのシステム構成例を示す説明図である。ネットワークシステム３００は、通知システム３０１と、監視制御システム３０２と、転送装置３０３と、を含む。通知システム３０１は、ネットワーク３１０を介して、緊急地震速報などの緊急速報を監視制御システム３０２に通知するシステムである。
【００２７】
監視制御システム３０２は、監視制御装置３２１と、切替制御装置３２２と、を含む。監視制御装置３２１は、通知システム３０１とネットワークを介して接続される。監視制御装置３２１は、通知システム３０１から緊急速報を受信する。また、監視制御装置３２１は、切替制御装置３２２に接続される。監視制御装置３２１は、上述した通信路の切替の評価を実行し、切替制御装置３２２に対して、通信路の切替を指示する。また、監視制御装置３２１は、切替制御装置３２２に対して、切替先の通信路を元の通信路に切り戻しを指示する。
【００２８】
切替制御装置３２２は、それぞれ担当する転送装置３０３に接続される。切替制御装置３２２は、監視制御装置３２１からの指示により、切替対象となる通信路を切替先に指定された通信路に切り替える。また、切替制御装置３２２は、監視制御装置３２１からの指示により、切替先の通信路を元の通信路に切り戻す。
【００２９】
転送装置３０３は、データを転送する装置であり、たとえば、ルータやスイッチ、ブリッジが挙げられる。転送装置３０３は、図１に示した転送装置１０１〜１０８である。転送装置３０３は、ネットワークを構成するが、図３では、便宜上ネットワークの外に記載されている。
【００３０】
＜ハードウェア構成例＞
図４は、コンピュータのハードウェア構成例を示すブロック図である。ここでいうコンピュータは、たとえば、図３に示した監視制御装置３２１または切替制御装置３２２である。コンピュータは、サーバ等の一般的な情報装置であり、ＣＰＵ（Ｃｅｎｔｒａｌ  Ｐｒｏｃｅｓｓｉｎｇ  Ｕｎｉｔ）４０１、ＮＩＣ（Ｎｅｔｗｏｒｋ  Ｉｎｔｅｒｆａｃｅ  Ｃａｒｄ）４０２、入力部４０３、出力部４０４、メモリ４０５、ＨＤＤ（Ｈａｒｄ  Ｄｉｓｋ  Ｄｒｉｖｅ）４０６、及びそれらを接続するバス等の伝送路４０７を有する。
【００３１】
ＣＰＵ４０１は、コンピュータの全体の制御を司る。ＮＩＣ４０２は、通信回線を通じてＬＡＮ、ＷＡＮ、インターネットなどのネットワークに接続され、ネットワークを介して他の装置に接続される。ＮＩＣ４０２は、ネットワークと内部のインターフェースを司り、外部装置からのデータの入出力を制御する。入力部４０３は、データを入力する。入力部４０３としては、たとえば、入力キーやタッチパネルが採用される。出力部４０４は、データを出力する。出力部４０４としては、ディスプレイやスピーカが採用される。メモリ４０５およびＨＤＤ４０６は、各種データやプログラムを記憶する。メモリ４０５は、ＣＰＵ４０１のワークエリアとして使用される。
【００３２】
＜監視制御装置３２１の機能的構成例＞
図５は、監視制御装置３２１の機能的構成例を示すブロック図である。監視制御装置３２１は、受付部５０１と、設定部５０２と、第１の取得部５０３と、特定部５０４と、第２の取得部５０５と、決定部５０７と、第２の取得部５０５第３の取得部５０６と、制御部５０８と、第３の取得部５０６を有する。受付部５０１〜制御部５０８は、具体的には、たとえば、図４に示したメモリ４０５またはＨＤＤ４０６に記憶されたプログラムをＣＰＵ４０１に実行させることにより、または、ＮＩＣ４０２により、その機能を実現する。
【００３３】
受付部５０１は、事象の予想影響度および予想発生領域を含む予想情報を受け付ける。具体的には、たとえば、受付部５０１は、ネットワーク３１０を介して通知システム３０１から送信されてくる緊急速報メッセージを予想情報として受け付ける。受け付けられた緊急速報メッセージは、メモリ４０５またはＨＤＤ４０６に書き込まれる。
【００３４】
図６は、緊急速報メッセージのデータ構造例を示す説明図である。緊急速報メッセージ６００は、事象種別項目６０１と、事象範囲項目６０２と、予想影響度項目６０３と、開始時刻項目６０４と、終了時刻項目６０５と、を含む。事象種別項目６０１には、事象種別が書き込まれる。事象種別とは、事象の要因を分類した情報であり、たとえば、上述した停電、気象、災害、社会現象が挙げられる。図６では、一例として、災害としての「地震」が書き込まれている。
【００３５】
また、事象範囲項目６０２には、事象範囲が書き込まれる。事象範囲とは、事象の発生が予想される範囲である。たとえば、緯度経度情報や住所、地域名などが書き込まれる。図６では、事象種別が「地震」であるため、事象範囲の一例として、罹災範囲となる「東京北部」が書き込まれている。
【００３６】
予想影響度項目６０３には、予想影響度が書き込まれる。予想影響度とは、事象が発生した場合に予想される被害の度合いを示す情報である。図６では、事象種別が「地震」であるため、予想影響度の一例として、主要動の予想震度が書き込まれている。
【００３７】
開始時刻項目６０４には、開始時刻が書き込まれる。開始時刻とは、事象が発生する予想開始時刻である。図６では、事象種別が「地震」であるため、開始時刻の一例として、主要動の到達予想時刻が開始時刻として書き込まれている。
【００３８】
終了時刻項目６０５には、終了時刻が書き込まれる。終了時刻とは、発生した事象が終了する予想終了時刻である。図６では、事象種別が「地震」であるため、終了時刻の一例として、主要動の終了時刻が書き込まれている。なお、終了時刻が不明な場合は、終了時刻は記録されなくてもよい。
【００３９】
図５に戻り、設定部５０２は、データ転送をおこなう転送装置群の中の、受付部５０１によって受け付けられた予想情報に含まれる予想発生領域内の転送装置３０３について、事象の予想影響度を記憶装置に設定する。具体的には、たとえば、設定部５０２は、予想発生領域内の転送装置３０３と事象の予想影響度とを関連付けて、メモリ４０５またはＨＤＤ４０６に格納する。たとえば、図６の緊急速報メッセージ６００の場合、設定部５０２は、事象範囲が「東京北部」に存在する転送装置３０３と予測震度とを、図７の転送装置テーブルにおいて関連付ける。
【００４０】
図７は、転送装置テーブルの記憶内容の一例を示す説明図である。転送装置テーブル７００は、メモリ４０５またはＨＤＤ４０６に格納されており、転送装置３０３の状態を示す情報を有する。具体的には、転送装置テーブル７００は、ノードＩＤ項目７０１と、設置場所項目７０２と、事象に対する耐性項目７０３と、予想情報項目７０４と、を有する。ノードＩＤ項目７０１には、ノードＩＤが格納される。ノードＩＤとは、転送装置３０３に固有な識別情報である。設置場所項目７０２には、設置場所が格納される。設置場所とは、ノードＩＤにより特定される転送装置３０３が設置された場所を示す情報である。ノードＩＤ：００３の転送装置３０３は、図１の転送装置１０３であり、ノードＩＤ：００４の転送装置３０３は、図１の転送装置１０４である。
【００４１】
事象に対する耐性項目７０３とは、事象に対する耐性を示す情報が格納される。ここでは、例として、津波対応力項目７３１、送電停止時の給電可能時間項目７３２、および切替時間項目７３３の３種類の耐性項目が設定されている。津波対応力項目７３１には、事象が津波である場合の津波対応力が格納される。津波対応力とは、ノードＩＤにより特定される転送装置３０３の設置場所における津波に対する対応を数値化した情報である。津波対応力としては、たとえば、海抜がある。
【００４２】
送電停止時の給電可能時間項目７３２には、事象が停電である場合の送電停止時の給電可能時間が格納される。送電停止時の給電可能時間とは、送電が停止した場合において電力を供給することができる供給可能時間である。
【００４３】
切替時間項目７３３には、事象が地震である場合の切替時間が格納される。切替時間とは、通信路の切替に要する時間である。切替時間としては、たとえば、無瞬断（切替時間０秒）、瞬断（切替時間０．５秒）がある。
【００４４】
予想情報項目７０４には、予想情報に含まれる情報が書き込まれる。具体的には、予想情報項目７０４は、予想影響度項目７４１と、事象種別項目７４２と、開始時刻項目７４３と、終了時刻項目７４４と、に分類される。予想影響度項目７４１、事象種別項目７４２、開始時刻項目７４３、および終了時刻項目７４４の内容については、図６に示した予想情報のデータ構造と同一であるため、説明を省略する。
【００４５】
設定部５０２は、受付部５０１によって受け付けられた予想情報の事象範囲と、転送装置テーブル７００の設置場所とを比較して、同一設置場所を特定し、該当するレコードの予想情報項目７０４に、予想影響度、事象種別、開始時刻、および終了時刻を書き込む。たとえば、図６の予想情報の場合、設定部５０２は、図７に示したように予想情報を書き込む。これにより、どの設置場所の転送装置３０３には、どのような予想影響度、事象種別、開始時刻、終了時刻が関連付けられたかが分かることになる。
【００４６】
図５戻り、第１の取得部５０３は、転送装置群における予想発生領域内の転送装置３０３を中継地点とする通信路に関する予想影響度を、設定部５０２によって設定された事象の予想影響度に基づいて取得する。事象の予想影響度とは、図７に示したように、各転送装置３０３に設定された予想影響度である。たとえば、図７の転送装置３０３テーブルにおいて、ノードＩＤ：００３である転送装置１０３のレコードを参照すると、転送装置１０３の予想影響度は、「６」である。
【００４７】
また、通信路に関する予想影響度とは、通信路を構成する転送装置群のうち中継地点となる各転送装置３０３についての事象の予想影響度を集約した予想影響度である。たとえば、中継地点となる転送装置群についての事象の予想影響度のうち、最大値をその通信路に関する予想影響度としてもよく、平均値や中央値をその通信路に関する予想影響度としてもよい。
【００４８】
より具体的には、たとえば、図１の通信路Ｐ３の場合、中継地点となる転送装置３０３は転送装置１０３だけである。したがって、転送装置１０３についての事象の予想影響度がそのまま通信路Ｐ３に関する予想影響度になる。また、第１の取得部５０３は、通信路に関する予想影響度を取得することにより、図８に示す通信路構成情報テーブルを作成する。
【００４９】
図８は、通信路構成情報テーブルの記憶内容の一例を示す説明図である。通信路構成情報テーブル８００は、メモリ４０５またはＨＤＤ４０６に格納されており、通信路の状態を示す情報を有する。具体的には、通信路構成情報テーブル８００は、通信路ＩＤ項目８０１と、通信路区分項目８０２と、第１端点項目８０３と、第２端点項目８０４と、経由装置項目８０５と、通信路種別項目８０６と、運用状態項目８０７と、予想情報項目８０８と、切替時刻項目８０９と、ＳＬＡクラス項目８１０と、を含む。
【００５０】
通信路ＩＤ項目８０１には、通信路ＩＤが格納される。通信路ＩＤとは、通信路に固有な識別情報である。通信路区分項目８０２には、通信路区分が格納される。通信路区分とは、通信路が現用系か予備系であるかを区別する情報である。第１端点項目８０３には、通信路の一方の端点（以下、「第１端点」）の転送装置３０３のノードＩＤが格納される。第２端点項目８０４には、通信路の他方の端点（以下、「第２端点」）の転送装置３０３のノードＩＤが格納される。
【００５１】
経由装置項目８０５には、経由装置に関する情報が格納される。経由装置とは、通信路の中継地点となる転送装置３０３である。図１の通信路Ｐ３の場合、転送装置１０３が経由装置である。経由装置項目８０５は、ノードＩＤ項目８５１と予想影響度項目８５２に分けられる。ノードＩＤ項目８５１には、ノードＩＤが格納される。ノードＩＤとは、転送装置３０３に固有な識別情報である。予想影響度項目８５２には、そのノードＩＤの転送装置３０３についての事象の予想影響度が第１の取得部５０３により書き込まれる。
【００５２】
通信路種別項目８０６には、通信路種別が格納される。通信路種別とは、その通信路が元からある通信路であるか、事象により切り替えられた通信路であるかを示す情報である。たとえば、「基本」の場合、元からある通信路を示しており、「一時」の場合、事象により切り替えられた通信路を示す。運用状態項目８０７には、運用状態が格納される。運用状態とは、通信路が運用中であるか否かを示す情報である。たとえば、運用中である場合は、「運用」となる。
【００５３】
予想情報項目８０８には、その通信路の予想情報が書き込まれる。具体的には、予想情報項目８０８は、事象種別項目８８１と、通信路に関する予想影響度項目８８２と、開始時刻項目８８３と、終了時刻項目８８４と、に細分化される。事象種別項目８８１、開始時刻項目８８３、および終了時刻項目８８４の内容については、図７の転送装置テーブル７００と同一であるため、説明を省略する。通信路に関する予想影響度項目８８２には、その通信路に関する予想影響度が第１の取得部５０３により格納される。
【００５４】
切替時刻項目８０９には、切替時刻が書き込まれる。切替時刻とは、その通信路が切替先の通信路に切り替えられた時刻である。ＳＬＡクラス項目８１０には、ＳＬＡクラスが格納される。ＳＬＡクラスとは、その通信路におけるＳＬＡのレベルを示す情報である。ここでは、たとえば、通信路の切替優先度が格納される。切替優先度とは、通信路の切替動作時において他の通信路と比較される指標である。このほか、ＳＬＡレベルとしては、たとえば、電源供給優先度や修理作業優先度が採用されてもよい。
【００５５】
図５戻り、特定部５０４は、第１の取得部５０３によって取得された通信路に関する予想影響度に基づいて、転送装置群の中から、端点となる転送装置３０３が通信路と共通する通信路である切替先通信路候補群を特定する。具体的には、たとえば、特定部５０４は、通信路構成情報テーブル８００を参照して、通信路に関する予想影響度が所定値以上である通信路を特定する。つぎに、特定部５０４は、特定した通信路における第１端点の転送装置３０３と第２端点の転送装置３０３とを特定する。
【００５６】
そして、特定部５０４は、図９に示す接続情報テーブルを参照して、第１端点と第２端点とを接続する切替先通信路候補を特定する。この場合、特定部５０４は、事象の予想影響度が通信路に関する予想影響度よりも低い通信路である切替先通信路候補群を特定する。たとえば、通信路Ｐ３に関する予想影響度は「６」であるため、事象の予想影響度が「５」以下となる転送装置３０３が経由装置となるように、切替先通信路候補を特定することになる。これにより、切替先通信路候補は、切替元となる通信路よりも事象による罹災の可能性が低いパスとなる。
【００５７】
図９は、接続情報テーブルの記憶内容の一例を示す説明図である。接続情報テーブル９００は、メモリ４０５またはＨＤＤ４０６に格納されており、転送装置３０３間の接続関係を示す情報を有する。具体的には、接続情報テーブル９００は、Ａ側ポート項目と、Ｂ側ポート項目と、を有する。Ａ側ポート項目およびＢ側ポート項目は、ノードＩＤ項目７０１と、ポート番号項目と、に細分化される。ノードＩＤ項目７０１には、ノードＩＤが格納される。ポート番号項目には、ポート番号が格納される。たとえば、１行目のレコードを例に挙げると、ノードＩＤ：００１の転送装置１０１のポート番号：０３のポートと、ノードＩＤ：００３の転送装置１０３のポート番号：０１のポートとが、接続されていることを示す。
【００５８】
図１０は、切替先通信路候補構成情報テーブルの記憶内容の一例を示す説明図である。切替先通信路候補構成情報テーブル１０００は、メモリ４０５またはＨＤＤ４０６に格納されており、特定部５０４によって特定された切替先通信路候補の状態を示す情報を有する。具体的には、切替先通信路候補構成情報テーブル１０００は、通信路ＩＤ項目１００１と、候補順位項目１００２と、通信路区分項目１００３と、第１端点項目１００４と、第２端点項目１００５と、経由装置項目１００６と、通信路に関する予想影響度項目１００７と、事象に対する耐性項目１００８と、を有する。通信路ＩＤ項目１００１、通信路区分項目１００３、第１端点項目１００４、第２端点項目１００５、経由装置項目１００６、および通信路に関する予想影響度項目１００６については、図８の通信路構成情報テーブル８００と同一内容であるため、説明を省略する。
【００５９】
候補順位項目１００２には、候補順位が書き込まれる。候補順位とは、通信路に関する予想影響度および事象に対する耐性によりソートした順位である。通信路に関する予想影響度および事象に対する耐性のいずれを優先すべきかについては、あらかじめ設定すればよい。本実施例では、通信路に関する予想影響度を最優先とし、通信路に関する予想影響度が同一である場合に、事象に対する耐性により候補順位がつけられる。事象に対する耐性項目１００８には、事象に対する耐性を示す情報が、後述の第３の取得部５０６により書き込まれる。ここで、事象に対する耐性として、切替時間が書き込まれる。
【００６０】
なお、特定部５０４は、第１の取得部５０３によって取得された通信路に関する予想影響度が、所定のしきい値以下である場合には、上述した特定処理を実行しなくてもよい。たとえば、しきい値を「３」とすると、予測震度が「３」以下の場合は、通信路を切り替える必要がないため、切替先通信路候補を特定しないこととしてもよい。これにより、通信路の無駄な切替を抑制することができる。
【００６１】
図５に戻り、第２の取得部５０５は、特定部５０４によって特定された切替先通信路候補群の各々の切替先通信路候補に関する予想影響度を、事象の予想影響度に基づいて取得する。具体的には、たとえば、特定部５０４により切替先通信路候補群が特定されたため、第２の取得部５０５は、切替先通信路候補ごとの通信路に関する予想影響度を、第１の取得部５０３と同様に取得する。すなわち、第２の取得部５０５は、切替先通信路候補において、中継地点となる転送装置群についての事象の予想影響度のうち、最大値をその通信路に関する予想影響度としてもよく、平均値や中央値をその通信路に関する予想影響度としてもよい。
【００６２】
第３の取得部５０６は、記憶装置に記憶されている、切替先通信路候補を構成する転送装置群についての事象に対する耐性を示す値に基づいて、切替先通信路候補に関する事象に対する耐性を示す値を取得する。具体的には、たとえば、第３の取得部５０６は、切替先通信路候補ごとに、事象に対する耐性を示す値として、切替時間を取得する。切替時間については、たとえば、第３の取得部５０６は、図７に示した転送装置テーブル７００を参照して、切替先通信路候補を構成する転送装置３０３の切替時間の中から、最大値を取得する。そして、第３の取得部５０６は、取得した切替時間を切替先通信路候補構成情報テーブル１０００に書き込む。
【００６３】
決定部５０７は、通信路に関する予想影響度と第２の取得部５０５によって取得された各々の切替先通信路候補に関する予想影響度とに基づいて、切替先通信路候補群の中から、切替先通信路を決定する。具体的には、たとえば、決定部５０７は、図１１に示す優先度別切替規定テーブルを参照し、切替元の通信路に関する予想影響度と、切替先通信路候補についての通信路に関する予想影響度と、を用いて、切替先通信路候補群の中から、切替先となる通信路を決定する。
【００６４】
図１１は、優先度別切替規定テーブルの記憶内容の一例を示す説明図である。優先度別切替規定テーブル１１００は、メモリ４０５またはＨＤＤ４０６に格納されており、優先度別の切替規定を有する。具体的には、優先度別切替規定テーブル１１００は、ＳＬＡクラス項目１１０１と、通信路に関する予想影響度項目１１０２と、切替規定項目１１０３と、切り戻し規定項目１１０４と、を有する。ＳＬＡクラス項目１１０１については、図８と同様であるため説明を省略する。
【００６５】
通信路に関する予想影響度項目１１０２には、切替元となる通信路についての通信路に関する予想影響度の範囲が規定される。切替元となる通信路についての通信路に関する予想影響度をＥとすると、一例として、Ｅ≧７、７＞Ｅ≧５、５＞Ｅ≧３、３＞Ｅの範囲が規定される。
【００６６】
切替規定項目１１０３には、切替規定が格納される。切替規定項目１１０３は、現用系規定項目１１３１と予備系規定項目１１３２とに細分化される。現用系規定項目１１３１には、現用系規定が格納される。現用系規定とは、切替元が現用系の通信路である場合に、切替先通信路に要求される通信路に関する予想影響度の範囲である。たとえば、切替元の通信路に関する予想影響度がＥ≧７の場合、切替先通信路に要求される通信路に関する予想影響度Ｆは、Ｆ＜３となる。したがって、現用系である切替元の通信路に関する予想影響度がＥ≧７で、かつ、切替先通信路候補に要求される通信路に関する予想影響度ＦがＦ＜３の場合に、現用系である切替元の通信路が、切替先通信路候補に切り替えられる。
【００６７】
また、現用系規定には、事象に対する耐性の一例として、切替時間の範囲も規定されている。たとえば、切替元の通信路に関する予想影響度がＥ≧７の場合、切替先通信路に要求される切替時間Ｔは、Ｔ＜５秒である。したがって、現用系である切替元の通信路に関する予想影響度がＥ≧７で、切替先通信路候補に要求される通信路に関する予想影響度ＦがＦ＜３で、かつ、切替先通信路候補の切替時間ＴがＴ＜５秒の場合に、現用系である切替元の通信路が、切替先通信路候補に切り替えられる。
【００６８】
また、予備系規定項目１１３２には、予備系規定が格納される。予備系規定も現用系規定と同様、切替先通信路に要求される通信路に関する予想影響度の範囲や切替時間の範囲が格納される。このように、事象の予想情報の通知後でかつ事象の発生前に、切替元の通信路から切替先の通信路への切替の妥当性を評価することにより、通信路の切替動作の適正化を図ることができる。
【００６９】
また、切り戻し規定項目１１０４には、切り戻し規定が格納される。切り戻し規定項目１１０４は、現用系規定項目１１４１と予備系規定項目１１４２とに細分化される。現用系規定項目１１４１には、現用系規定が格納される。現用系規定とは、切替元が現用系の通信路である場合に、切替先通信路での切り戻し条件である。たとえば、事象の終了時刻後の経過時間が１０分以上となった場合、現用系である切替先の通信路から切替元の通信路に切り戻される。また、予備系規定項目１１４２には、予備系規定が格納される。予備系規定も現用系規定と同様、切替元が予備系の通信路である場合の切替先通信路での切り戻し条件である。
【００７０】
なお、決定部５０７は、切替先通信路群の中から、切替先通信路候補に関する予想影響度が通信路に関する予想影響度よりも低い切替先通信路候補を、切替先通信路に決定することとしてもよい。たとえば、切替元の通信路に関する予想影響度がＥ≧７の場合、切替先通信路に要求される通信路に関する予想影響度Ｆは、Ｆ＜７でもよい。
【００７１】
また、決定部５０７は、切替先通信路群の中から、事象に応じたしきい値以下で、かつ、前記切替先通信路候補に関する予想影響度が前記通信路に関する予想影響度よりも低い切替先通信路候補を、切替先通信路に決定することとしてもよい。たとえば、事象が地震である場合、予測震度４が事象に応じたしきい値とすると、上述したように、切替先通信路に要求される通信路に関する予想影響度Ｆが、Ｆ＜３に設定すればよい。
【００７２】
図５に戻り、制御部５０８は、通信路から決定部５０７によって決定された切替先通信路への切替を制御する。具体的には、たとえば、制御部５０８は、切替要求メッセージを生成して、切替制御装置３２２に対して、切替要求メッセージを送信する。
【００７３】
図１２は、切替要求メッセージのデータ構造例を示す説明図である。切替要求メッセージ１２００は、通信路ＩＤ項目１２０１と、通信路区分項目１２０２と、切替先項目１２０３と、を含む。通信路ＩＤ項目１２０１および通信路区分項目１２０２については、図８および図１０と同一内容であるため、説明を省略する。切替先項目１２０３には、切替先通信路が経由する転送装置３０３のノードＩＤが書き込まれる。
【００７４】
制御部５０８は、図１０に示した切替先通信路候補構成情報テーブル１０００から、通信路ＩＤ、通信路区分、切替先通信路が経由する転送装置３０３のノードＩＤを抽出して、切替要求メッセージ１２００を生成し、切替制御装置３２２に送信する。切替が完了すると、制御部５０８は、通信路構成情報テーブル８００に、切替先の通信路についてのレコードを追加する。
【００７５】
図１３は、切替動作完了後の通信路構成情報テーブル８００の記憶内容の一例を示す説明図である。図１３では、現用系の通信路Ｐ１の切替先通信路として、ノードＩＤ：００５の転送装置１０５を経由する通信路Ｐ３のレコードと、予備系の通信路Ｐ２の切替先通信路として、ノードＩＤ：００６の転送装置１０６を経由する通信路Ｐ４のレコードと、が追加される。また、通信路Ｐ３のレコードと通信路Ｐ４のレコードには、切替時刻が書き込まれる。
【００７６】
＜監視制御処理手順＞
つぎに、監視制御装置３２１が実行する監視制御処理手順例について説明する。
【００７７】
図１４は、監視制御装置３２１が実行する監視制御処理手順例を示すフローチャートである。まず、監視制御装置３２１は、受付部５０１により、緊急速報メッセージ６００などの予想情報を待ち受ける（Ｓ１４０１：Ｎｏ）。予想情報を受け付けた場合（Ｓ１４０１：Ｙｅｓ）、監視制御装置３２１は、転送装置テーブル７００に予想情報に含まれている情報を書き込み（Ｓ１４０２）、設定部５０２により、通信路構成情報テーブル８００への書き込みをおこなう（Ｓ１４０３）。
【００７８】
つぎに、監視制御装置３２１は、第１の取得部５０３により、通信路に関する予想影響度判定処理を実行する（Ｓ１４０４）。通信路に関する予想影響度判定処理（Ｓ１４０４）の詳細については後述するが、監視制御装置３２１は、通信路に関する予想影響度判定処理（Ｓ１４０４）により、通信路ごとに、通信路に関する予想影響度を学習することになる。
【００７９】
通信路に関する予想影響度判定処理（Ｓ１４０４）のあと、監視制御装置３２１は、特定部５０４により、切替対象となる通信路の第１端点および第２端点を特定する（Ｓ１４０５）。つぎに、監視制御装置３２１は、特定した第１端点および第２端点を用いて、切替先通信路候補を検索する（Ｓ１４０６）。そして、監視制御装置３２１は、切替先通信路候補の情報を、切替先通信路候補構成情報テーブル１０００に書き込む（Ｓ１４０７）。
【００８０】
そして、監視制御装置３２１は、切替先通信路候補構成情報テーブル１０００を参照して、切替先通信路候補を対象にした、通信路に関する予想影響度判定処理を実行する（Ｓ１４０８）。通信路に関する予想影響度判定処理（Ｓ１４０８）の詳細については後述するが、監視制御装置３２１は、第２の取得部５０５による通信路に関する予想影響度判定処理（Ｓ１４０８）により、切替先通信路候補ごとに、通信路に関する予想影響度を学習することになる。
【００８１】
このあと、監視制御装置３２１は、第３の取得部５０６により、事象に対する耐性を取得する（Ｓ１４０９）。そして、監視制御装置３２１は、切替先通信路候補構成情報テーブル１０００を、通信路に関する予想影響度の第１優先とし、事象に対する耐性を第２優先として、昇順にソートする（Ｓ１４１０）。つぎに、監視制御装置３２１は、決定部５０７により、切替／切り戻し規定抽出処理を実行する（Ｓ１４１１）。切替／切り戻し規定抽出処理（Ｓ１４１１）の詳細については後述するが、切替／切り戻し規定抽出処理（Ｓ１４１１）では、監視制御装置３２１は、切替規定および切り戻し規定を、優先度別切替規定テーブル１１００から抽出する。
【００８２】
そして、監視制御装置３２１は、決定部５０７により、切替先決定処理を実行する（Ｓ１４１２）。切替先決定処理（Ｓ１４１２）の詳細については後述するが、切替先決定処理（Ｓ１４１２）では、切替先通信路候補群の中から切替先通信路を決定する。これにより、切替先の通信路の決定までの処理が終了する。
【００８３】
＜通信路に関する予想影響度判定処理＞
図１５は、図１４に示した通信路に関する予想影響度判定処理（Ｓ１４０２、Ｓ１４０８）の詳細な処理手順例を示すフローチャートである。なお、監視制御装置３２１は、Ｓ１４０２では、図８の通信路構成情報テーブル８００を参照し、Ｓ１４０８では、図１０の切替先通信路候補構成情報テーブル１０００を参照する。まず、監視制御装置３２１は、未選択の通信路があるか否かを判断する（Ｓ１５０１）。未選択の通信路がある場合（Ｓ１５０１：Ｙｅｓ）、未選択の通信路を１つ選択する（Ｓ１５０２）。選択された通信路を「選択通信路」と称す。
【００８４】
監視制御装置３２１は、選択通信路の予想情報を初期化し（Ｓ１５０３）、選択通信路内の未選択の経由装置があるか否かを判断する（Ｓ１５０４）。未選択の経由装置がある場合（Ｓ１５０４：Ｙｅｓ）、監視制御装置３２１は、未選択の経由装置を１つ選択する（Ｓ１５０５）。選択された経由装置を「選択経由装置」と称す。
【００８５】
つぎに、監視制御装置３２１は、選択経由装置についての予想情報を転送装置３０３テーブルから抽出する（Ｓ１５０６）。そして、選択経由装置の事象の予想影響度Ｌと通信路に関する予想影響度Ｅとを比較する（Ｓ１５０７）。最初の選択経由装置の場合、Ｓ１５０３の初期化直後であるため、Ｅ＝０である。Ｌ＞Ｅである場合（Ｓ１５０７：Ｙｅｓ）、選択通信路の予想情報を、選択経由装置の予想情報により更新する（Ｓ１５０８）。そして、Ｓ１５０に戻る。一方、Ｓ１５０７において、Ｌ＞Ｅでない場合（Ｓ１５０７：Ｎｏ）、Ｓ１５０４に戻る。
【００８６】
また、Ｓ１５０４において、未選択の経由装置がない場合（Ｓ１５０４：Ｎｏ）、Ｓ１５０１に戻る。Ｓ１５０１において、未選択の通信路がない場合（Ｓ１５０１：Ｎｏ）、通信路に関する予想影響度判定処理を終了して、Ｓ１４０３、Ｓ１４０９に移行する。これにより、最終的に事象の予想影響度の最大値が、選択通信路に関する予想影響度になる。
【００８７】
＜切替／切り戻し規定抽出処理＞
図１６は、図１４に示した切替／切り戻し規定抽出処理（Ｓ１４１１）の詳細な処理手順例を示すフローチャートである。ここでは、切替優先度ｍがＡ〜Ｚまであるものとする。Ａが最優先される切替優先度である。
【００８８】
監視制御装置３２１は、図８の通信路構成情報テーブル８００を参照して、未選択の通信路があるか否かを判断する（Ｓ１６０１）。未選択の通信路がある場合（Ｓ１６０１：Ｙｅｓ）、監視制御装置３２１は、通信路を１つ選択する（Ｓ１６０２）。選択された通信路を「選択通信路」と称す。
【００８９】
つぎに、監視制御装置３２１は、通信路構成情報テーブル８００を参照して、選択通信路の切替優先度を検出する（Ｓ１６０３）。そして、監視制御装置３２１は、通信路構成情報テーブル８００を参照して、選択通信路に関する予想影響度を検出する（Ｓ１６０４）。このあと、監視制御装置３２１は、優先度別切替規定テーブル１１００を参照して、切替優先度および選択通信路に関する予想影響度に応じた切替規定および切り戻し規定を抽出する（Ｓ１６０５）。そして、Ｓ１６０１に戻り、監視制御装置３２１は、未選択の通信路があるか否かを判断する（Ｓ１６０１）。未選択の通信路がない場合（Ｓ１６０１：Ｎｏ）、切替／切り戻し規定抽出処理（Ｓ１４１１）を終了する。これにより、通信路ごとに、切替規定および切り戻し規定を特定することができる。
【００９０】
＜切替先決定処理＞
図１７は、図１４に示した切替先決定処理（Ｓ１４１２）の詳細な処理手順例を示すフローチャートである。まず、監視制御装置３２１は、未選択の通信路があるか否かを判断する（Ｓ１７０１）。未選択の通信路がある場合（Ｓ１７０１：Ｙｅｓ）、監視制御装置３２１は、未選択の通信路を１つ選択する（Ｓ１７０２）。選択された通信路を「選択通信路」と称す。そして、監視制御装置３２１は、選択通信路の切替先通信路候補の総数Ｍを特定し（Ｓ１７０３）、変数ｊをｊ＝０とする（Ｓ１７０４）。監視制御装置３２１は、ｊをインクリメントする（Ｓ１７０５）。選択通信路についての切替先通信路候補群は、Ｓ１４１０によりソートされているため、ｊ＝１番目の切替先通信路候補Ｃ１が最優先されるべき切替先通信路候補となる。
【００９１】
このあと、監視制御装置３２１は、Ｍ＞ｊであるか否かを判断する（Ｓ１７０６）。Ｍ＞ｊでない場合（Ｓ１７０６：Ｎｏ）、監視制御装置３２１は、切替先通信路候補Ｃｊが、Ｓ１４１１において選択通信路について抽出された切替規定を満たすか否かを判断する（Ｓ１７０７）。満たす場合（Ｓ１７０７：Ｙｅｓ）、監視制御装置３２１は、試験パケットを送信するなどして、切替先通信路候補Ｃｊが導通するか否かを判断する（Ｓ１７０８）。導通する場合（Ｓ１７０８：Ｙｅｓ）。監視制御装置３２１は、切替先通信路候補Ｃｊを、選択通信路の切替先通信路に決定し（Ｓ１７０９）、Ｓ１７０１に戻る。
【００９２】
また、Ｓ１７０７において、切替規定を満たさない場合（Ｓ１７０７：Ｎｏ）、Ｓ１７０５に戻り、監視装置は、ｊをインクリメントする。同様に、Ｓ１７０８において、導通しない場合（Ｓ１７０８：Ｎｏ）も、Ｓ１７０５に戻り、監視装置は、ｊをインクリメントする。また、Ｓ１７０６において、Ｍ＞ｊになった場合（Ｓ１７０６：Ｙｅｓ）、監視制御装置３２１は、切替先通信路候補Ｃ１を、選択通信路の切替先通信路に決定し（Ｓ１７１０）、Ｓ１７０１に戻る。このように、切替規定に該当する切替先通信路候補がない場合には、優先順位が最も高い切替先通信路候補Ｃ１が採用されることになる。また、Ｓ１７０１において、未選択の通信路がない場合（Ｓ１７０１：Ｎｏ）、決定部５０７による切替先決定処理（Ｓ１４１２）は終了する。
【００９３】
＜切替制御シーケンス＞
図１８は、ネットワークシステム３００における通信路の切替制御シーケンス例を示すシーケンス図である。まず、監視制御装置３２１は、図１７に示した切替先決定処理（Ｓ１４１２）のあと、制御部５０８により切替要求メッセージ１２００を生成して、切替制御装置３２２に送信する（Ｓ１８０１）。
【００９４】
切替制御装置３２２は、切替要求メッセージ１２００を受け付けると、切替要求メッセージ１２００の内容にしたがって、切替メッセージを生成して、切替対象となる転送装置３０３に対し、切替メッセージを送信する（Ｓ１８０２）。切替対象となる転送装置３０３は、切替メッセージを受け付けると、既存技術により、切替元の通信路を構成する場合は、切替元の通信路についての設定を解除し、切替先の通信路を構成する場合は、切替先の通信路となるように設定する（Ｓ１８０３）。そして、切替対象となる転送装置３０３は、切替応答を切替制御装置３２２に送信する（Ｓ１８０４）。
【００９５】
切替制御装置３２２は、切替対象となる転送装置３０３から切替応答を受け付けると、切替要求応答を監視制御装置３２１に送信する（Ｓ１８０５）。切替要求応答は、切替先の通信路への切替が成功したか失敗したかを示す応答メッセージである。監視制御装置３２１は、切替制御装置３２２から切替要求応答を受け付けると、図１３に示したように、通信路構成情報テーブル８００に、切替先の通信路の情報を追加し、切替時刻を更新する（Ｓ１８０６）。これにより、通信路の切替処理が完了する。
【００９６】
＜切り戻し処理手順＞
つぎに、切替先の通信路から切替元の通信路へ切り戻す切り戻し処理手順について説明する。切り戻り処理は、図１６の切替／切り戻し規定抽出処理（Ｓ１４１１）によって抽出された切り戻し規定にしたがって、監視制御装置３２１により実行される。
【００９７】
図１９は、通信路の切り戻し処理手順例を示すフローチャートである。まず、監視制御装置３２１は、図１６の切替／切り戻し規定抽出処理（Ｓ１４１１）によって抽出された切り戻し規定にしたがって、終了時刻後経過時間を特定する（Ｓ１９０１）。つぎに、監視制御装置３２１は、タイマーの値ｔを、ｔ＝終了時刻＋終了時刻後経過時間に設定する（Ｓ１９０３）。
【００９８】
そして、監視制御装置３２１は、時刻Ｔになるまで待ち受ける（Ｓ１９０３：Ｎｏ）。時刻ｔになった場合（Ｓ１９０３：Ｙｅｓ）、監視制御装置３２１は、切替元の通信路が導通しているか否かを判断する（Ｓ１９０４）。導通していない場合（Ｓ１９０４：Ｎｏ）、切り戻しができないため、切り戻し処理は終了する。
【００９９】
一方、導通している場合（Ｓ１９０４：Ｙｅｓ）、監視制御装置３２１は、切替元の通信路への切替要求メッセージ１２００を生成して（Ｓ１９０５）、切替制御装置３２２に送信する（Ｓ１９０６）。このあとは、図１８に示したシーケンスと同様の処理により、切替先の通信路から切替元の通信路に切り戻される。
【０１００】
以上に説明したように、本発明の実施例によれば、通信路において不確定または確定した障害の発生が予想される場合にも、事象の予想影響度や切替動作についてのＳＬＡを評価した上で切替操作を実現することができる。したがって、地震などの事象が発生しなかった場合に通信路の切替をおこなうことによるＳＬＡの逸脱を抑制することができる。また、事象が発生した場合には、ＳＬＡを評価したうえで通信路の切替が実行されるため、障害による通信断を未然に抑制することができる。
【０１０１】
また、切替元となる通信路に関する予想影響度を、その通信路内の中継装置についての事象の予想影響度の最大値とすることにより、事象による影響を最も受けやすい転送装置を基準に評価をおこなうことができる。また、事象の予想影響度の最大値に限らず、通信路内の中継装置についての事象の予想影響度の平均値や中央値といった統計的な値を採用して、通信路に関する予想影響度を取得してもよい。
【０１０２】
また、中継装置の設置場所の重要性や設置場所における過去における事象の発生頻度に応じて、中継装置の事象の影響度に重みづけした上で、通信路に関する予想影響度を取得することとしてもよい。これにより、転送装置の設置場所に固有な事象の予想影響度を、通信路に関する予想影響度に反映することができる。
【０１０３】
また、事象の予想影響度が切替元の通信路に関する予想影響度よりも低い通信路である切替先通信路候補群を特定することにより、切替元の通信路に関する予想影響度以上の事象の予想影響度を含む通信路を、切替先通信路の候補外とすることができる。したがって、切替制御の効率化を図ることができる。
【０１０４】
また、切替先通信路群の中から、切替先通信路候補に関する予想影響度が切替元通信路に関する予想影響度よりも低い切替先通信路候補を、切替先通信路に決定することにより、通信路に関する予想影響度に応じた事象が発生した場合に、より影響が低い切替先の通信路に切り替えることができる。したがって、発生する事象に応じて安全な通信路に切り替えることができる。
【０１０５】
また、切替先の通信路の決定においては、さらに、切替先通信路群の中から、事象に応じたしきい値以下で、かつ、切替先通信路候補に関する予想影響度が切替元通信路に関する予想影響度よりも低い切替先通信路候補を、切替先通信路に決定することとしてもよい。これにより、通信路に関する予想影響度に応じた事象が発生した場合に、事象の特徴に応じて、より影響が低い切替先の通信路に切り替えることができる。
【０１０６】
また、切替先通信路候補を構成する転送装置群についての事象に対する耐性を示す値に基づいて、切替先通信路候補に関する事象に対する耐性を示す値を取得することとしてもよい。この場合、切替先通信路候補群のうち、切替先通信路候補に関する事象に対する耐性を示す値が、切替元通信路に関する予想影響度に応じた値となる切替先通信路候補を、切替先通信路に決定することになる。
【０１０７】
したがって、たとえば、事象に対する耐性が切替時間とすると、切替元通信路に関する予想影響度に応じた切替時間である場合に、その切替先通信路候補が切替先に決定される。このように、通信路としての条件が満たされた切替先通信路候補が切替先に決定されるため、ＳＬＡを考慮した切替を実現することができる。
【０１０８】
このように、本実施例によれば、事象の発生予報の通知から事象が発生するまでの間に、事象が発生した場合の影響を評価することにより、通信路の切替動作を適切におこなうことができる。
【０１０９】
以上、本発明を添付の図面を参照して詳細に説明したが、本発明はこのような具体的構成に限定されるものではなく、添付した請求の範囲の趣旨内における様々な変更及び同等の構成を含むものである。
【符号の説明】
【０１１０】
３００ ネットワークシステム
３０１ 通知システム
３０２ 監視制御システム
３０３ 転送装置
３２１ 監視制御装置
３２２ 切替制御装置
５０１ 受付部
５０２ 設定部
５０３ 取得部
５０４ 特定部
５０５ 取得部
５０６ 取得部
５０７ 決定部
５０８ 制御部
【図１】
2014107624.tif 000003
【図２】
2014107624.tif 000004
【図３】
2014107624.tif 000005
【図４】
2014107624.tif 000006
【図５】
2014107624.tif 000007
【図６】
2014107624.tif 000008
【図７】
2014107624.tif 000009
【図８】
2014107624.tif 000010
【図９】
2014107624.tif 000011
【図１０】
2014107624.tif 000012
【図１１】
2014107624.tif 000013
【図１２】
2014107624.tif 000014
【図１３】
2014107624.tif 000015
【図１４】
2014107624.tif 000016
【図１５】
2014107624.tif 000017
【図１６】
2014107624.tif 000018
【図１７】
2014107624.tif 000019
【図１８】
2014107624.tif 000020
【図１９】
2014107624.tif 000021